(57)【要約】【課題】表示対象に対する操作性を向上する情報処理装置、その処理方法、およびプログラムを提供する。【解決手段】情報処理装置１００は、表示部の操作面に対する操作を検出する第１操作検出部１０２と、表示部の第１操作面とは異なる第２操作面に対する操作を検出する第２操作検出部１０４と、第１操作面または第２操作面に対する操作に応じた移動量で表示対象のスクロール可能領域を表示部のスクロール表示範囲にスクロール表示を行う表示制御部１０６と、を備え、表示制御部１０６は、スクロール表示範囲の外縁がスクロール可能領域を超える移動量を示す操作が検出される場合、該操作が第１操作面に対する操作か第２操作面に対する操作かに応じて、スクロール表示範囲の外縁がスクロール可能領域を超えないようにスクロールを停止させるか、または、スクロール表示範囲内にスクロール可能領域に加えて表示対象以外を表示させるかを切り替える。【選択図】図１
2014229287.tif 000002
【特許請求の範囲】
【請求項１】
操作に応じてスクロールするスクロール可能領域を含む表示対象の一部を表示する表示部の操作面に対する操作を検出する第１操作検出手段と、
前記表示部の第１操作面とは異なる第２操作面に対する操作を検出する第２操作検出手段と、
前記第１操作検出手段により検出される前記第１操作面に対する操作または前記第２操作検出手段により検出される前記第２操作面に対する操作に応じた移動量で前記表示対象の前記スクロール可能領域を前記表示部のスクロール表示範囲に一部分ずつ出力するスクロール表示を行う表示制御手段と、
を備え、
前記表示制御手段は、前記表示部のスクロール表示範囲の外縁が前記スクロール可能領域を超える前記移動量を示す操作が前記第１操作検出手段または前記第２操作検出手段で検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える情報処理装置。
【請求項２】
請求項１に記載の情報処理装置において、
前記表示制御手段は、さらに、
前記表示部の前記スクロール表示範囲の外縁が前記スクロール可能領域を超える前記移動量を示す操作が、前記第２操作検出手段により検出される場合に、
当該操作により、前記表示対象の前記スクロール可能領域の終端が前記第２操作面の操作位置から遠ざかる場合、前記表示部のスクロール表示範囲の外縁が前記スクロール可能領域を超えないように前記スクロール可能領域のスクロールを停止させる情報処理装置。
【請求項３】
請求項１または２に記載の情報処理装置において、
前記表示制御手段は、
前記スクロール表示範囲内に前記スクロール可能領域に加えて表示される前記表示対象以外を、前記表示部の前記第１操作面に対する所定の操作可能範囲に、前記スクロール可能領域が残る範囲で、表示させる情報処理装置。
【請求項４】
請求項１乃至３いずれかに記載の情報処理装置において、
前記表示制御手段は、前記表示対象以外に、前記表示対象とは別の表示情報を表示する情報処理装置。
【請求項５】
請求項１乃至４いずれかに記載の情報処理装置において、
前記表示制御手段は、
前記表示対象以外を表示した後、前記第１操作検出手段または前記第２操作検出手段により検出される前記操作が所定操作の場合、前記表示対象以外の表示をやめ、前記スクロール可能領域内の表示に、少なくとも一回の前記操作で戻す情報処理装置。
【請求項６】
情報処理装置が、
操作に応じてスクロールするスクロール可能領域を含む表示対象の一部を表示する表示部の操作面に対する操作を検出し、
前記表示部の第１操作面とは異なる第２操作面に対する操作を検出し、
検出される前記第１操作面に対する操作または前記第２操作面に対する操作に応じた移動量で前記表示対象の前記スクロール可能領域を前記表示部のスクロール表示範囲に一部分ずつ出力するスクロール表示を行うよう前記表示部の表示を制御し、
前記表示部のスクロール表示範囲の外縁が前記スクロール可能領域を超える前記移動量を示す操作が検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える、
情報処理装置の処理方法。
【請求項７】
請求項６に記載の情報処理装置の処理方法において、
前記情報処理装置が、さらに、
前記表示部の前記スクロール表示範囲の外縁が前記スクロール可能領域を超える前記移動量を示す操作が、前記第２操作面に対する操作として検出される場合に、
当該操作により、前記表示対象の前記スクロール可能領域の終端が前記第２操作面の操作位置から遠ざかる場合、前記表示部のスクロール表示範囲の外縁が前記スクロール可能領域を超えないように前記スクロール可能領域のスクロールを停止させる情報処理装置の処理方法。
【請求項８】
操作に応じてスクロールするスクロール可能領域を含む表示対象の一部を表示する表示部の操作面に対する操作を検出する手順、
前記表示部の第１操作面とは異なる第２操作面に対する操作を検出する手順、
検出される前記第１操作面に対する操作または前記第２操作面に対する操作に応じた移動量で前記表示対象の前記スクロール可能領域を前記表示部のスクロール表示範囲に一部分ずつ出力するスクロール表示を行うよう前記表示部の表示を制御する手順、
をコンピュータに実行させ、
前記制御する手順において、
前記表示部のスクロール表示範囲の外縁が前記スクロール可能領域を超える前記移動量を示す操作が前記操作を検出する手順で検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える手順、
をコンピュータに実行させるためのプログラム。
【請求項９】
請求項８に記載のプログラムにおいて、
前記制御する手順において、
前記表示部の前記スクロール表示範囲の外縁が前記スクロール可能領域を超える前記移動量を示す操作が、前記第２操作面に対する操作として検出される場合に、
当該操作により、前記表示対象の前記スクロール可能領域の終端が前記第２操作面の操作位置から遠ざかる場合、前記表示部のスクロール表示範囲の外縁が前記スクロール可能領域を超えないように前記スクロール可能領域のスクロールを停止させる手順、
をさらにコンピュータに実行させるためのプログラム。
【発明の詳細な説明】
【技術分野】
【０００１】
本発明は、情報処理装置、その処理方法、およびプログラムに関し、特に、操作に応じたスクロール表示を制御する情報処理装置、その処理方法、およびプログラムに関する。
【背景技術】
【０００２】
近年、情報処理端末は、接触または接近等の操作位置を検出可能なタッチパネル型表示部が多く利用されている。
ここで、接触または接近等の操作位置を検出可能なタッチパネル型表示部（以降、「表示部」と称する）に対するスクロール操作により、表示部に表示される表示対象を順にスクロール方向に移動させることが可能である。このスクロール操作によって、表示部に表示されずに隠れている部分の表示対象の外縁が表示範囲の外縁に至るまで移動させることができる。
【０００３】
特許文献１には、タッチパネル以外に設けられたタッチパッドに対する操作に応じて、タッチパネルに表示される表示画像の表示状態を複数の種類の態様で行う携帯表示装置が記載されている。
特許文献２には、接触操作により画面をスクロール移動させ、操作キー等の押下による入力操作により、所定の位置まで画面を一気に移動させるスクロール制御方法が記載されている。また、カーソルが画面のエッジに達したときにも続けてスクロールを実行させることが記載されている。
【先行技術文献】
【特許文献】
【０００４】
【特許文献１】特開２０１２−２３０６１５号公報
【特許文献２】特開２００７−１４８９２７号公報
【発明の概要】
【発明が解決しようとする課題】
【０００５】
上述文献に記載された技術において、発明者は以下の課題を見出した。
たとえば、端末を把持した手（以下、把持手と呼ぶ）の親指でのタッチ操作に応じてスクロール表示させる場合、ディスプレイ上での親指による操作可能な範囲が限られるため、表示内容によって、当該操作可能な範囲外に操作用表示物（たとえば、アイコン等）が表示され、片手では操作できないという問題点があった。
【０００６】
本発明は上記事情に鑑みてなされたものであり、その目的とするところは、表示対象に対する操作性を向上する情報処理装置、その処理方法、およびプログラムを提供することにある。
【課題を解決するための手段】
【０００７】
本発明の情報処理装置は、
操作に応じてスクロールするスクロール可能領域を含む表示対象の一部を表示する表示部の操作面に対する操作を検出する第１操作検出手段と、
前記表示部の第１操作面とは異なる第２操作面に対する操作を検出する第２操作検出手段と、
前記第１操作検出手段により検出される前記第１操作面に対する操作または前記第２操作検出手段により検出される前記第２操作面に対する操作に応じた移動量で前記表示対象の前記スクロール可能領域を前記表示部のスクロール表示範囲に一部分ずつ出力するスクロール表示を行う表示制御手段と、
を備え、
前記表示制御手段は、前記表示部のスクロール表示範囲の外縁が前記スクロール可能領域を超える前記移動量を示す操作が前記第１操作検出手段または前記第２操作検出手段で検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える。
【０００８】
本発明の情報処理装置の処理方法は、
情報処理装置が、
操作に応じてスクロールするスクロール可能領域を含む表示対象の一部を表示する表示部の操作面に対する操作を検出し、
前記表示部の第１操作面とは異なる第２操作面に対する操作を検出し、
検出される前記第１操作面に対する操作または前記第２操作面に対する操作に応じた移動量で前記表示対象の前記スクロール可能領域を前記表示部のスクロール表示範囲に一部分ずつ出力するスクロール表示を行うよう前記表示部の表示を制御し、
前記表示部のスクロール表示範囲の外縁が前記スクロール可能領域を超える前記移動量を示す操作が検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える。
【０００９】
本発明のコンピュータプログラムは、
操作に応じてスクロールするスクロール可能領域を含む表示対象の一部を表示する表示部の操作面に対する操作を検出する手順、
前記表示部の第１操作面とは異なる第２操作面に対する操作を検出する手順、
検出される前記第１操作面に対する操作または前記第２操作面に対する操作に応じた移動量で前記表示対象の前記スクロール可能領域を前記表示部のスクロール表示範囲に一部分ずつ出力するスクロール表示を行うよう前記表示部の表示を制御する手順、
をコンピュータに実行させ、
前記制御する手順において、
前記表示部のスクロール表示範囲の外縁が前記スクロール可能領域を超える前記移動量を示す操作が前記操作を検出する手順で検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える手順、
をコンピュータに実行させるためのプログラムである。
【００１０】
なお、以上の構成要素の任意の組合せ、本発明の表現を方法、装置、システム、記録媒体、コンピュータプログラムなどの間で変換したものもまた、本発明の態様として有効である。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１２】
また、本発明の処理方法およびコンピュータプログラムには複数の手順を順番に記載してあるが、その記載の順番は複数の手順を実行する順番を限定するものではない。このため、本発明の処理方法およびコンピュータプログラムを実施するときには、その複数の手順の順番は内容的に支障のない範囲で変更することができる。
【００１３】
さらに、本発明の処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１４】
本発明によれば、表示対象に対する操作性を向上する情報処理装置、その処理方法、およびプログラムが提供される。
【図面の簡単な説明】
【００１５】
【図１】本発明の実施の形態に係る情報処理装置の構成を示す機能ブロック図である。
【図２】本発明の実施の形態に係る情報処理装置の動作の一例を示すフローチャートである。
【図３】本発明の実施の形態に係る情報処理装置の動作を説明するための図である。
【図４】本発明の実施の形態に係る情報処理装置の動作を説明するための図である。
【図５】本発明の実施の形態に係る情報処理装置を実現するスマートフォンの構成を示すブロック図である。
【図６】本発明の実施の形態に係る情報処理装置における、表示対象を説明するための図である。
【図７】本実施形態にかかる情報処理装置の動作の一例を示すフローチャートである。
【図８】本発明の実施の形態に係る情報処理装置における、スクロール制御を説明するための図である。
【図９】本発明の実施の形態に係る情報処理装置における、スクロール制御を説明するための図である。
【図１０】本発明の実施の形態に係る情報処理装置における、スクロール制御を説明するための図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
（第１の実施の形態）
図１は、本発明の実施の形態に係る情報処理装置１００の構成を示す機能ブロック図である。
本発明の実施の形態に係る情報処理装置１００は、操作に応じてスクロールするスクロール可能領域を含む表示対象の一部を表示する表示部（不図示）の操作面に対する操作を検出する第１操作検出部１０２と、表示部の第１操作面とは異なる第２操作面（指紋センサ）に対する操作を検出する第２操作検出部１０４と、第１操作検出部１０２により検出される第１操作面に対する操作または第２操作検出部１０４により検出される第２操作面に対する操作に応じた移動量で表示対象のスクロール可能領域を表示部のスクロール表示範囲に一部分ずつ出力するスクロール表示を行う表示制御部１０６と、を備える。
表示制御部１０６は、表示部のスクロール表示範囲の外縁がスクロール可能領域を超える移動量を示す操作が第１操作検出部１０２または第２操作検出部１０４で検出される場合、該操作が第１操作面に対する操作か第２操作面に対する操作かに応じて、表示部のスクロール表示範囲の外縁がスクロール可能領域を超えないようにスクロール可能領域のスクロールを停止させるか、または、表示部のスクロール表示範囲内にスクロール可能領域に加えて表示対象以外を表示させるかを切り替える。
【００１８】
ここで、操作に応じた移動量とは、操作による移動の方向および距離を示すベクトルで表すことができる。また、操作の速度や操作面に対する圧力に応じて移動量を変えることも考えられ、実際の操作面上での操作の始点から終点までの距離に、操作速度や操作圧等を考慮して（たとえば、速度が速い程、または操作圧が強い程、操作の距離より移動距離を長くする等）移動量を求めることができる。操作に応じた移動量の求め方等については、本発明の本質には関わらないので、詳細な説明は省略する。
【００１９】
なお、本実施の形態の情報処理装置１００の各構成要素は、ＣＰＵ（Central Processing Unit）、メモリ、メモリにロードされた本図の構成要素を実現するプログラム、そのプログラムを格納するハードディスクなどの記憶ユニット、ネットワーク接続用インタフェースを備える任意のコンピュータのハードウェアとソフトウェアの任意の組合せによって実現される。そして、その実現方法、装置にはいろいろな変形例があることは、当業者には理解されるところである。図１は、ハードウェア単位の構成ではなく、論理的な機能単位のブロックを示している。
【００２０】
本実施の形態の情報処理装置１００では、本発明の実施の形態に係るコンピュータプログラムに対応する各種の処理動作をコンピュータが実行することにより、前述のような各種ユニットが各種機能として実現される。
本発明の情報処理装置は、上記コンピュータを備えるスマートフォン、携帯電話機、ＰＤＡ（Personal Digital Assistants）、タブレット端末、パーソナルコンピュータ、ゲーム機、音響電子機器、デジタルカメラ、画像表示装置、またはその他の電子機器等に適用することができる。なお、情報処理装置と、表示部は一体となっていなくてもよく、情報処理装置に接続され、情報処理装置により制御される表示装置であってもよい。
また、本発明の情報処理装置は、１つのチップや装置として実現されてもよく、さらに、他の装置に装着するような形態で実現されてもよい。
【００２１】
本実施形態のコンピュータプログラムは、情報処理装置１００を実現させるためのコンピュータに、操作に応じてスクロールするスクロール可能領域を含む表示対象の一部を表示する表示部の操作面に対する操作を検出する手順、表示部の第１操作面とは異なる第２操作面に対する操作を検出する手順、検出される第１操作面に対する操作または第２操作面に対する操作に応じた移動量で表示対象のスクロール可能領域を表示部のスクロール表示範囲に一部分ずつ出力するスクロール表示を行うよう表示部の表示を制御する手順、を実行させ、制御する手順において、表示部のスクロール表示範囲の外縁がスクロール可能領域を超える移動量を示す操作が操作を検出する手順で検出される場合、該操作が第１操作面に対する操作か第２操作面に対する操作かに応じて、表示部のスクロール表示範囲の外縁がスクロール可能領域を超えないようにスクロール可能領域のスクロールを停止させるか、または、表示部のスクロール表示範囲内にスクロール可能領域に加えて表示対象以外を表示させるかを切り替える手順、を実行させるように記述されている。
【００２２】
本発明のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００２３】
上述のような構成において、本発明の実施の形態に係る情報処理装置１００による処理方法を以下に説明する。図２は、本発明の実施の形態に係る情報処理装置１００の動作の一例を示すフローチャートである。図３は、本発明の実施の形態に係る情報処理装置１００の動作を説明するための図である。
【００２４】
本発明の実施の形態に係る情報処理装置の処理方法は、情報処理装置１００が、操作に応じてスクロールするスクロール可能領域を含む表示対象の一部を表示する表示部の操作面に対する操作を検出し（ステップＳ１０１）、表示部の第１操作面とは異なる第２操作面（指紋センサ）に対する操作を検出し（ステップＳ１０３）、検出される第１操作面に対する操作または第２操作面に対する操作に応じた移動量で表示対象のスクロール可能領域を表示部のスクロール表示範囲に一部分ずつ出力するスクロール表示を行うよう表示部の表示を制御し（ステップＳ１０５）、表示部のスクロール表示範囲の外縁がスクロール可能領域を超える移動量を示す操作が検出される場合（ステップＳ１０７のＹＥＳ）、該操作が第１操作面に対する操作か第２操作面に対する操作かに応じて（ステップＳ１０９）、表示部のスクロール表示範囲の外縁がスクロール可能領域を超えないようにスクロール可能領域のスクロールを停止させる（ステップＳ１１１）か、または、表示部のスクロール表示範囲内にスクロール可能領域に加えて表示対象以外を表示させるか（ステップＳ１１３）を切り替えるものである。
【００２５】
詳細には、ステップＳ１０１において、第１操作検出部１０２が、操作に応じてスクロールするスクロール可能領域を含む表示対象の一部を表示する表示部の操作面に対する操作を検出する。また、ステップＳ１０３において、第２操作検出部１０４が、表示部の第１操作面とは異なる第２操作面に対する操作を検出する。なお、図では、ステップＳ１０１とステップＳ１０３は順次実行するように示されているが、これに限定されず、ステップＳ１０１とステップＳ１０３は、並列して処理することができる。
また、ステップＳ１０７〜ステップＳ１１３の処理は、ステップＳ１０５を行う際に、判定を行い、操作に応じた移動量でのスクロール表示を制御するものである。
【００２６】
本図の処理手順は、第１操作検出部１０２または第２操作検出部１０４による第１操作面または第２操作面に対する操作が検出されたときに開始される。一連の処理手順が終了した後、または一連の処理手順が行われている間も、一連の処理手順とは独立して操作の検出により並列して動作開始することができる。複数の操作が検出された場合の処理については、適用されるアプリケーションに応じて、適宜優先順位や条件を定めることが好ましい。
【００２７】
ステップＳ１０５において、第１操作検出部１０２により検出される第１操作面１１０ａ（図３）に対する操作１１２ａ（図３）または第２操作検出部１０４により検出される第２操作面１１０ｂ（図３）に対する操作１１２ｂ（図３）に応じた移動量で表示対象のスクロール可能領域を表示部２６のスクロール表示範囲に順次出力するスクロール表示を行う。
【００２８】
図３に示すように、本実施形態では、第２操作面１１０ｂは、第１操作面１１０ａ（表示部２６）の下方に設けられるが、これに限定されるものではない。他の例として、表示部２６の上方、下方、左側、右側の少なくともいずれか一つに設けられてもよい。スマートフォン１０を片手で把持した時に、把持手の親指が第２操作面１１０ｂの操作をし易い位置に、第２操作面１１０ｂが設けられるのが好ましい。
一方、第１操作面１１０ａで検出される操作１１２ａは、把持手で操作が困難な範囲になるため、把持手以外で操作されることが想定される。
【００２９】
たとえば、図４（ａ）に示すように、表示制御部１０６が、ステップＳ１０１で第１操作検出部１０２によって検出された操作１１２ａ１に応じた移動量で表示対象のスクロール可能領域１１４を表示部２６のスクロール表示範囲１１６に一部分ずつ出力するスクロール表示を行うよう表示部２６の表示を制御する。その結果、図４（ｂ）に示すように、表示部２６のスクロール表示範囲１１６が下方に移動する。
【００３０】
ステップＳ１０７において、表示制御部１０６は、たとえば、ステップＳ１０１またはステップＳ１０３で検出された操作１１２の移動量が、表示部２６のスクロール表示範囲１１６の外縁がスクロール可能領域１１４を超える量か否かを判定することができる。また、ステップＳ１０９において、表示制御部１０６は、該操作が、第１操作面１１０ａに対する操作か第２操作面１１０ｂに対する操作かを判定することができる。
そして、表示部２６のスクロール表示範囲１１６の外縁がスクロール可能領域１１４を超える移動量を示す操作である場合（ステップＳ１０７のＹＥＳ）、表示制御部１０６が、該操作が第１操作面１１０ａに対する操作か第２操作面１１０ｂに対する操作かを判定する（ステップＳ１０９）。
【００３１】
たとえば、図４（ｂ）の状態でなされた操作１１２ａ２が第１操作面１１０ａに対する操作である場合（ステップＳ１０９のＮＯ）、表示制御部１０６が、図４（ｃ）に示すように、操作１１２ａ２に応じた移動量で途中までスクロールさせ、表示部２６のスクロール表示範囲１１６の外縁がスクロール可能領域１１４を超えないようにスクロール可能領域１１４のスクロールを停止させる（ステップＳ１１１）。
【００３２】
一方、図４（ｂ）の状態でなされた操作１１２ｂが第２操作面１１０ｂに対する操作である場合（ステップＳ１０９のＹＥＳ）、図４（ｄ）に示すように、表示制御部１０６が、操作１１２ｂに応じた移動量でスクロールさせて、表示部２６のスクロール表示範囲１１６内にスクロール可能領域１１４に加えて表示対象以外１１８を表示させる（ステップＳ１１３）。
ステップＳ１０７において、表示部２６のスクロール表示範囲１１６の外縁がスクロール可能領域１１４内である場合（ステップＳ１０７のＮＯ）、情報処理装置１００は、操作１１２ａ２または操作１１２ｂに応じた移動量でスクロールさせて、処理を終了する。
【００３３】
以上説明したように、本発明の実施の形態の情報処理装置１００によれば、表示部のスクロール表示範囲の外縁がスクロール可能領域を超える移動量を示す操作が第１操作検出部１０２または第２操作検出部１０４で検出された場合、第１操作面に対する操作か第２操作面に対する操作かに応じて、表示部のスクロール表示範囲の外縁がスクロール可能領域を超えないようにスクロール可能領域のスクロールを停止させるか、または、表示部のスクロール表示範囲内にスクロール可能領域に加えて表示対象以外を表示させるかを切り替えるので、表示対象に対する操作性を向上することができる。
【００３４】
すなわち、表示対象のスクロール可能領域に対する操作が、第２操作面に対して行われている場合には、表示部のスクロール表示範囲内にスクロール可能領域に加えて表示対象以外を表示させることができるので、スクロール可能領域に含まれる操作対象領域が、第１操作面上の操作可能な範囲にない場合でも、第２操作面に対する操作により第１操作面上の操作可能な範囲に移動させることができ、結果として操作が可能となる。一方、表示対象のスクロール可能領域に対する操作が、第１操作面に対して行われている場合等には、表示部のスクロール表示範囲の外縁がスクロール可能領域を超える移動量の操作がなされても、表示部のスクロール表示範囲の外縁がスクロール可能領域を超えないようにスクロール可能領域のスクロールを停止させることができるので、スクロールにより表示部から表示対象のうち、たとえば、ユーザが必要としている内容部分が画面上から消えてしまうこと等がなく、操作性がよい。
【００３５】
（第２の実施の形態）
以下、本発明の情報処理装置を、スマートフォン１０により実現する実施形態について説明する。
本発明の実施の形態に係る情報処理装置は、上記実施形態の情報処理装置１００とは、第２操作面に対する操作により、表示対象のスクロール可能領域の終端が第２操作面の操作位置から遠ざかる場合は、表示部のスクロール表示範囲の外縁がスクロール可能領域を超えないようにスクロール可能領域のスクロールを停止させる点で相違する。本発明の実施の形態に係る情報処理装置は、図１の上記実施形態の情報処理装置１００と同様な第１操作検出部１０２と、第２操作検出部１０４と、表示制御部１０６と、を備える。以下、図１を用いて説明する。
【００３６】
本発明の実施の形態に係る情報処理装置１００において、上記実施形態と同様な構成を有するとともに、さらに、表示制御部１０６は、表示部２６のスクロール表示範囲の外縁がスクロール可能領域を超える移動量を示す操作が、第２操作検出部１０４により検出される場合に、当該操作により、表示対象のスクロール可能領域の終端が第２操作面１１０ｂの操作位置から遠ざかる場合、表示部２６のスクロール表示範囲の外縁がスクロール可能領域を超えないようにスクロール可能領域のスクロールを停止させる。
【００３７】
図５は、本発明の実施の形態に係る情報処理装置１００を実現するスマートフォン１０の構成を示すブロック図である。
なお、本実施形態では、スマートフォン１０により情報処理装置１００が実現される例について説明するが、これに限定されない。情報処理装置１００は、たとえば、スマートフォン以外に、携帯電話機、ＰＤＡ、タブレット端末、パーソナルコンピュータ、ゲーム機、音響電子機器、デジタルカメラ、画像表示装置、またはその他の電子機器等にも適用できる。
【００３８】
図５に示すように、本実施形態のスマートフォン１０は、ＣＰＵ１２と、メモリ１４と、Ｉ／Ｏ１６と、通信制御部１８と、指紋センサ２０と、操作部２２と、操作受付部２４と、表示部２６と、表示制御部２８と、スピーカ３２と、マイク３４と、音声制御部３６と、を備える。
【００３９】
ＣＰＵ１２は、スマートフォン１０の各要素とバス４０を介して接続され、各要素とともにスマートフォン１０全体を制御する。メモリ１４は、スマートフォン１０を動作させるためのプログラムや、そのプログラムが動作する際に使用する各種設定データ、アプリケーションデータ等を含むユーザデータを記憶するとともに、プログラムが動作するための作業領域など一時的にデータを記憶する領域を有する。Ｉ／Ｏ１６は、スマートフォン１０のＣＰＵ１２と各要素とのバス４０を介した入出力を制御する。
【００４０】
本実施形態では、スマートフォン１０は、通信手段として、アンテナ１９を介して、ＩＥＥＥ８０２．１１シリーズに準拠した無線ＬＡＮ通信（所謂Ｗｉ−Ｆｉ）が可能な他の通信装置と無線ＬＡＮ通信を行う通信制御部１８を備える。あるいは、スマートフォン１０は、中継局（不図示）を介して他の通信装置と通信してもよい。また、スマートフォン１０は、他の通信手段を備えてもよい。
【００４１】
操作部２２は、操作キー、操作ボタン、スイッチ、ジョグダイヤル、タッチパッド、タッチパネルなどを含む。操作受付部２４は、ユーザによる操作部２２の操作を受け付け、ＣＰＵ１２に通知する。表示部２６は、ＬＥＤ（Light Emitting Diode）表示器や、液晶ディスプレイ、有機ＥＬ（ElectroLuminescence）ディスプレイなどを含む。表示制御部２８は、ＣＰＵ１２からの指示に従い、表示部２６に各種画面表示を行う。
【００４２】
スマートフォン１０の場合、操作部２２の少なくとも一部は表示部２６と一体でタッチパネルユニット３０により構成される。
音声制御部３６は、ＣＰＵ１２からの指示に従い、スピーカ３２またはマイク３４、あるいは、外部の音響デバイスとの音声入出力を制御する。
【００４３】
上述した情報処理装置１００の各構成要素は、ＣＰＵ１２、メモリ１４、メモリ１４にロードされる図１の構成要素を実現するプログラム４２、ネットワーク接続用インタフェース（Ｉ／Ｏ１６）を備える任意のコンピュータ（スマートフォン１０）のハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００４４】
図１の情報処理装置１００の各構成要素は、本実施形態のスマートフォン１０等の装置を制御するオペレーティングシステム、ドライバ、および、スマートフォン１０が実行するアプリケーション等の少なくともいずれかのソフトウェアまたは、装置を構成するハードウェアと前記ソフトウェアとの協働によって実現することができる。
【００４５】
本実施の形態の情報処理装置１００では、本発明の実施の形態に係るコンピュータプログラム４２に対応する各種の処理動作をスマートフォン１０のＣＰＵ１２が実行することにより、前述のような各種ユニットが各種機能として実現される。
【００４６】
本発明の実施の形態に係るコンピュータプログラム４２は、上記実施形態のコンピュータプログラムの手順に加え、さらに、制御する手順において、表示部２６のスクロール表示範囲の外縁がスクロール可能領域を超える移動量を示す操作が、第２操作検出部１０４により検出される場合に、当該操作により、表示対象のスクロール可能領域の終端が第２操作面１１０ｂの操作位置から遠ざかる場合、表示部２６のスクロール表示範囲の外縁がスクロール可能領域を超えないようにスクロール可能領域のスクロールを停止させる手順、をコンピュータ（スマートフォン１０のＣＰＵ１２）に実行させるように記述されている。
【００４７】
ここで、操作体（手、指、タッチペン等）による接触等の操作を検出可能なタッチパネル型表示部（図では、タッチパネルユニット３０の表示部２６）に対する操作により、タッチパネルユニット３０の表示部２６のスクロール表示範囲に表示される表示対象のスクロール可能領域内の表示範囲を移動させることができる。
ユーザは、タッチパネルユニット３０の表示部２６に表示された表示対象を閲覧しながら、操作面上を指でなぞることで、指の動き（操作）に合わせて、表示部２６のスクロール表示範囲に表示される内容をスクロールさせることができる。
【００４８】
さらに、本実施形態の情報処理装置１００において、第２操作面は、たとえば、指紋センサ２０で構成される。すなわち、スマートフォン１０に備えられている指紋センサ２０の検知情報を第２操作面に対する操作の情報として活用する。
【００４９】
他の例として、第２操作面は、表示部２６のタッチパネルとは別途設けられたタッチパッド（トラックパッド、インテリジェントタッチパッド、ホイールパッド）、ジョグダイヤル、トラックボール、スクロールホイール、その他の各種操作用ポインティングデバイス等も含むことができる。あるいは、他の態様では、表示部２６のタッチパネルの領域を第１操作面と第２操作面の領域にそれぞれ分けて設定してもよい。
【００５０】
表示制御部１０６は、第１操作検出部１０２または第２操作検出部１０４により検出される操作に応じた移動量で表示対象のスクロール可能領域を表示部のスクロール表示範囲に順次スクロールさせながら表示させる。しかし、スクロール可能領域の端部まで、表示範囲が移動した後に、さらに同方向への移動操作が検出されたとしても当該操作による表示制御が行えない状態となる。
【００５１】
たとえば、スマートフォン１０を把持した手の親指で、タッチパネルユニット３０の操作面（第１操作面１１０ａ）に対して操作する場合、タッチパネルユニット３０の操作面（第１操作面１１０ａ）上に対する親指操作可能な範囲が限られている。そのため、タッチパネルユニット３０の表示部２６の表示内容によっては、当該操作可能な範囲外に操作用表示オブジェクト（たとえば、画像、アイコン、またはリンク等）が表示されることがある。
【００５２】
その場合、ユーザがスマートフォン１０を片手で把持した状態においては、他方の手指により操作することが多い。
このように、把持手ではない他方の手指で操作することにより、表示内容を確認しその都度、操作する手指を切り替える必要があり、操作が煩雑になることがあった。
【００５３】
本発明では、把持手での操作態様を、タッチパネルユニット３０等の第１操作面１１０ａに加え、第１操作面１１０ａよりも把持手により近い指紋センサ２０等の第２操作面１１０ｂでも可能とし、その操作態様に応じて、タッチパネルユニット３０の表示部２６のスクロール表示範囲に表示されるスクロール可能領域の移動を制御する。たとえば、図８に示すように、第２操作面１１０ｂに対する操作の場合には、スクロール可能領域１１４に加えて、表示対象以外１１８を表示させることができるので、スクロール可能領域１１４内の操作用表示オブジェクトの位置を、ユーザの把持手の親指で操作可能な範囲にまで移動させることができる。
なお、本発明において、操作は、画面に接触しないホバー操作も含む。手や指以外の操作物、たとえば、タッチペンによる操作も含む。
【００５４】
また、スクロール可能領域を超えないように停止する場合に、必ずしも、表示部２６のスクロール表示範囲にスクロール可能領域を固定しなくてもよく、ある程度の移動は許容してもよい。
【００５５】
次に、本発明の表示対象、スクロール可能領域、スクロール表示範囲について図６を用いて説明する。
表示対象２１０において、ヘッダ部１２０を含む全体がスクロールする場合（図６（ａ））と、固定メニュー（固定ヘッダ部１２２）が含まれ、固定メニュー以外がスクロールする場合（図６（ｂ））がある。
【００５６】
本発明において、表示対象２１０は、ウェブページ、文書ファイル、画像ファイル、テキストファイル等、様々なものが例示され、特に限定されない。また、表示対象１１０を表示するためのアプリケーションも特に限定されない。表示対象以外１１８は、たとえば、何も表示しない態様や表示対象２１０の終端に、先頭を続けてスクロール表示させる態様なども含むことができる。
【００５７】
表示対象の全体がスクロールする場合（図４（ａ）参照）、表示対象の全部がスクロール可能領域１１４であり、スクロール可能領域１１４はタッチパネルユニット３０の表示部２６のスクロール表示範囲１１６内に表示される。タッチパネルユニット３０の第１操作面１１０ａ上で操作１１２ａ１が行われた場合、スクロール可能領域１１４の全体がスクロール表示範囲１１６内をそのままオーバースライドする。なお、図６（ａ）に示す通り、スクロール可能領域１１４ａに固定ではないメニュー（ヘッダ部１２０）が含まれており、メニューを含むスクロール可能領域１１４ａの全体（すなわち、表示対象２１０全体）がオーバースライドしてもよい。
【００５８】
図６（ｂ）は、表示対象２１０に固定メニュー（固定ヘッダ部１２２）が含まれ、固定メニュー以外がスクロールする場合を示す図である。表示対象２１０の一部が固定メニュー（固定ヘッダ部１２２）、残りがスクロール可能領域１１４ｂであり、タッチパネルユニット３０の表示部２６におけるスクロール表示範囲１１６ｂ以外の部分には常に固定メニュー（固定ヘッダ部１２２）が表示され、スクロール可能領域１１４ｂだけがタッチパネルユニット３０の表示部２６のスクロール表示範囲１１６ｂ内に表示される。タッチパネルユニット３０の操作面上で操作が行われた場合、固定メニュー（固定ヘッダ部１２２）はそのままに、スクロール可能領域１１４ｂだけがスクロール表示範囲１１６ｂ内をオーバースライドする。
【００５９】
なお、本実施形態では、表示対象２１０が表示部２６に表示されたときの形状は、矩形であり、上下左右の４つの端を有する。しかし、表示対象２１０の表示形状は矩形に限定されず、端の位置および数もこれらに限定されるものではない。端の形状も直線に限定されず、曲線であってもよい。
さらに、本実施形態では、表示部２６の表示枠の形状は、矩形であり、上下左右の４つの縁を有する。しかし、表示部２６の表示枠の形状は、矩形に限定されず、縁の位置および数もこれらに限定されるものではない。縁の形状も直線に限定されず、曲線であってもよい。
【００６０】
次に、このように構成される本実施形態に係る情報処理装置の処理方法を説明する。図７は、本実施形態にかかる情報処理装置１００の動作の一例を示すフローチャートである。
【００６１】
本実施形態の情報処理装置の処理方法は、図２の上記実施形態の処理方法のステップＳ１０９の判定でＹＥＳの場合に実行される。
以下、詳細に説明するが、本実施形態において、上記実施形態と同じ動作については、説明を省略する。
表示部２６のスクロール表示範囲の外縁がスクロール可能領域を超える移動量を示す操作が、第２操作検出部１０４により検出される場合に（ステップＳ１０９のＹＥＳ）、当該操作により、表示対象のスクロール可能領域の終端が第２操作面１１０ｂの操作位置から遠ざかるか否かを判定する（ステップＳ２０１）。そして、当該操作により、表示対象のスクロール可能領域の終端が第２操作面１１０ｂの操作位置から遠ざかる場合（ステップＳ２０１のＹＥＳ）、図９に示すように、表示部２６のスクロール表示範囲の外縁がスクロール可能領域を超えないようにスクロール可能領域のスクロールを停止させる（ステップＳ１１１）。当該操作により、表示対象のスクロール可能領域の終端が第２操作面１１０ｂの操作位置から遠ざからない場合（ステップＳ２０１のＮＯ）、図２のステップＳ１１３に進む。
【００６２】
たとえば、操作により、表示対象のスクロール可能領域１１４の終端が第２操作面１１０ｂの操作位置から遠ざかると、図４（ｄ）に示すように、表示対象以外１１８が第２操作面１１０ｂの操作位置と表示対象のスクロール可能領域１１４の間に介在するようになるため、表示対象のスクロール可能領域１１４を、第２操作面１１０ｂを操作しているのと同じ操作体、たとえば、把持手により操作するのが困難になる。
【００６３】
以上説明したように、本発明の実施の形態の情報処理装置によれば、上記実施形態と同様な効果を奏するとともに、さらに、操作により、表示対象のスクロール可能領域の終端が第２操作面１１０ｂの操作位置から遠ざかる場合に、表示部２６のスクロール表示範囲の外縁がスクロール可能領域を超えないようにスクロール可能領域のスクロールを停止させるので、操作性が向上する。
【００６４】
（第３の実施の形態）
本発明の実施の形態に係る情報処理装置は、上記実施の形態とは、スライド範囲を、操作可能領域を考慮して制御する点で相違する。本発明の実施の形態に係る情報処理装置は、図１の上記実施形態の情報処理装置１００と同様な第１操作検出部１０２と、第２操作検出部１０４と、表示制御部１０６と、を備える。以下、図１を用いて説明する。本実施形態の情報処理装置は、他の実施形態の情報処理装置の構成を組み合わせることもできる。
【００６５】
図１０は、本発明の実施の形態に係る情報処理装置における、スクロール制御を説明するための図である。
本発明の実施の形態に係る情報処理装置において、表示制御部１０６は、スクロール表示範囲１１６内にスクロール可能領域１１４に加えて表示される表示対象以外１１８を、表示部２６の操作面に対する所定の操作可能範囲５１０（２点鎖線）に、スクロール可能領域１１４が残る範囲で、表示させる。
【００６６】
本発明において、操作可能範囲５１０とは、把持手による操作が可能な範囲である。
図１０（ｂ）に示すように、操作可能範囲５１０内にスクロール可能領域１１４が残らないように、表示対象以外１１８が表示されてしまうと、スクロール可能領域１１４に含まれる操作対象にユーザの手指が届かない可能性がある。したがって、本実施形態では、図１０（ａ）に示すように、操作可能範囲５１０内にスクロール可能領域１１４が残るように、表示対象以外１１８の表示を制御する。
【００６７】
操作可能範囲５１０は、実際の移動操作の位置から学習して特定されてもよいし、たとえば、端末の種類や形状等に応じた把持位置を予め想定して予め定められる範囲を設定されてもよい。
さらに、表示制御部１０６は、表示対象に含まれる操作対象の配置を考慮して、操作可能範囲５１０に、スクロール可能領域１１４内の操作対象が含まれる範囲までスクロールさせるように制御してもよい。
【００６８】
以上説明したように、本発明の実施の形態の情報処理装置によれば、上記実施形態と同様な効果を奏するとともに、さらに、把持手による操作に応じて、表示部２６のスクロール表示範囲１１６内のスクロール可能領域１１４の表示内容を所望の位置までスクロールさせた場合に、移動させ過ぎることがなく、スクロール可能領域１１４に対する操作ができなくなることがないので、使い勝手がよい。
【００６９】
以上、図面を参照して本発明の実施形態について述べたが、これらは本発明の例示であり、上記以外の様々な構成を採用することもできる。
たとえば、他の実施形態の情報処理装置において、表示制御部１０６は、表示対象以外１１８の領域に、表示対象とは別の補足的な表示情報を表示してもよい。
別の表示情報の例としては、たとえば、背景として設定されている背景画像等が挙げられる。
さらに、表示対象以外１１８の領域は、表示部２６が矩形の場合、たとえば、上端、下端、左端、右端に設けることができるが、それぞれの領域において、異なる表示情報を表示させることもできる。
この構成によれば、上記実施形態と同様な効果を奏するとともに、さらに、視覚的効果、視覚的な娯楽性をもたらすこともできる。
【００７０】
さらに、他の実施形態の情報処理装置において、表示制御部１０６は、表示対象以外１１８を表示した後、第１操作検出部１０２または第２操作検出部１０４により検出される操作が所定操作の場合、表示対象以外１１８の表示をやめ、スクロール可能領域１１４内の表示に、少なくとも一回の操作で戻してもよい。
【００７１】
この場合の所定操作とは、フリックまたはタップ等の特定の操作、または所定の操作位置における操作等である。所定の操作位置としては、たとえば、表示部２６における表示対象以外１１８の領域または第２操作面１１ｂが挙げられる。
この表示対象以外１１８の表示をやめるための所定操作は、一回の操作に限られず、複数回の操作によって段階的に戻してもよい。
この構成によれば、上記実施形態と同様な効果を奏するとともに、さらに、所定操作により表示対象以外１１８を表示させていた場合にも、簡単な操作で表示対象以外１１８の表示をやめて元の表示に戻すことができるので、潤滑な操作性をもたらすことが可能になる。
【００７２】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【００７３】
以下、参考形態の例を付記する。
１．  情報処理装置が、
操作に応じてスクロールするスクロール可能領域を含む表示対象の一部を表示する表示部の操作面に対する操作を検出し、
前記表示部の第１操作面とは異なる第２操作面に対する操作を検出し、
検出される前記第１操作面に対する操作または前記第２操作面に対する操作に応じた移動量で前記表示対象の前記スクロール可能領域を前記表示部のスクロール表示範囲に一部分ずつ出力するスクロール表示を行うよう前記表示部の表示を制御し、
前記表示部のスクロール表示範囲の外縁が前記スクロール可能領域を超える前記移動量を示す操作が検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える、
情報処理装置の処理方法。
２．  １．に記載の情報処理装置の処理方法において、
前記情報処理装置が、さらに、
前記表示部の前記スクロール表示範囲の外縁が前記スクロール可能領域を超える前記移動量を示す操作が、前記第２操作面に対する操作として検出される場合に、
当該操作により、前記表示対象の前記スクロール可能領域の終端が前記第２操作面の操作位置から遠ざかる場合、前記表示部のスクロール表示範囲の外縁が前記スクロール可能領域を超えないように前記スクロール可能領域のスクロールを停止させる情報処理装置の処理方法。
３．  １．または２．に記載の情報処理装置の処理方法において、
請求項１に記載の情報処理装置において、
前記情報処理装置が、
前記スクロール表示範囲内に前記スクロール可能領域に加えて表示される前記表示対象以外を、前記表示部の前記第１操作面に対する所定の操作可能範囲に、前記スクロール可能領域が残る範囲で、表示させる情報処理装置の処理方法。
４．  １．乃至３．いずれかに記載の情報処理装置の処理方法において、
前記情報処理装置が、
前記表示対象以外に、前記表示対象とは別の表示情報を表示する情報処理装置の処理方法。
５．  １．乃至４．いずれかに記載の情報処理装置の処理方法において、
前記情報処理装置が、
前記表示対象以外を表示した後、前記第１操作面または前記第２操作面に対する操作として検出される前記操作が所定操作の場合、前記表示対象以外の表示をやめ、前記スクロール可能領域内の表示に、少なくとも一回の前記操作で戻す情報処理装置の処理方法。
【００７４】
６．  操作に応じてスクロールするスクロール可能領域を含む表示対象の一部を表示する表示部の操作面に対する操作を検出する手順、
前記表示部の第１操作面とは異なる第２操作面に対する操作を検出する手順、
検出される前記第１操作面に対する操作または前記第２操作面に対する操作に応じた移動量で前記表示対象の前記スクロール可能領域を前記表示部のスクロール表示範囲に一部分ずつ出力するスクロール表示を行うよう前記表示部の表示を制御する手順、
をコンピュータに実行させ、
前記制御する手順において、
前記表示部のスクロール表示範囲の外縁が前記スクロール可能領域を超える前記移動量を示す操作が前記操作を検出する手順で検出される場合、該操作が前記第１操作面に対する操作か前記第２操作面に対する操作かに応じて、前記表示部のスクロール表示範囲の外縁が前記スクロール可能領域を超えないように前記スクロール可能領域のスクロールを停止させるか、または、前記表示部のスクロール表示範囲内に前記スクロール可能領域に加えて前記表示対象以外を表示させるかを切り替える手順、
をコンピュータに実行させるためのプログラム。
７．  ６．に記載のプログラムにおいて、
前記制御する手順において、
前記表示部の前記スクロール表示範囲の外縁が前記スクロール可能領域を超える前記移動量を示す操作が、前記第２操作面に対する操作として検出される場合に、
当該操作により、前記表示対象の前記スクロール可能領域の終端が前記第２操作面の操作位置から遠ざかる場合、前記表示部のスクロール表示範囲の外縁が前記スクロール可能領域を超えないように前記スクロール可能領域のスクロールを停止させる手順、
をさらにコンピュータに実行させるためのプログラム。
８．  ６．または７．に記載のプログラムにおいて、
前記制御する手順において、
前記スクロール表示範囲内に前記スクロール可能領域に加えて表示される前記表示対象以外を、前記表示部の前記第１操作面に対する所定の操作可能範囲に、前記スクロール可能領域が残る範囲で、表示させる手順、
をさらにコンピュータに実行させるためのプログラム。
９．  ６．乃至８．いずれかに記載のプログラムにおいて、
前記制御する手順において、
前記表示対象以外に、前記表示対象とは別の表示情報を表示する手順、
をさらにコンピュータに実行させるためのプログラム。
１０．  ６．乃至９．いずれかに記載のプログラムにおいて、
前記制御する手順において、
前記表示対象以外を表示した後、第１操作面または前記第２操作面に対する操作として検出される前記操作が所定操作の場合、前記表示対象以外の表示をやめ、前記スクロール可能領域内の表示に、少なくとも一回の前記操作で戻す手順、
をさらにコンピュータに実行させるためのプログラム。
【符号の説明】
【００７５】
１０  スマートフォン
１２  ＣＰＵ
１４  メモリ
１６  Ｉ／Ｏ
１８  通信制御部
１９  アンテナ
２０  指紋センサ
２２  操作部
２４  操作受付部
２６  表示部
２８  表示制御部
３０  タッチパネルユニット
３２  スピーカ
３４  マイク
３６  音声制御部
４０  バス
４２  コンピュータプログラム
１００  情報処理装置
１０２  第１操作検出部
１０４  第２操作検出部
１０６  表示制御部
１１０ａ  第１操作面
１１０ｂ  第２操作面
１１２  操作
１１４  スクロール可能領域
１１６  スクロール表示範囲
１１８  表示対象以外
１２０  ヘッダ部
１２２  固定ヘッダ部
２１０  表示対象
５１０  操作可能範囲
【図１】
2014229287.tif 000003
【図２】
2014229287.tif 000004
【図３】
2014229287.tif 000005
【図４】
2014229287.tif 000006
【図５】
2014229287.tif 000007
【図６】
2014229287.tif 000008
【図７】
2014229287.tif 000009
【図８】
2014229287.tif 000010
【図９】
2014229287.tif 000011
【図１０】
2014229287.tif 000012